(57)【要約】【課題】本発明は、エンジンの冷間運転時においてエンジンのシリンダヘッドの信頼性の低下を防止することができるエンジンの冷却装置を提供する。【解決手段】本発明のエンジン冷却装置は、エンジン内冷却水経路10と、ヒータコア冷却水経路12と、ラジエータ冷却水経路14とを備え、これらの冷却水経路10,12,14を切り換える切換弁20を備えている。切換弁20は、エンジンの冷却水温度が例えば５０℃よりも低いときであっても、排気バルブ周辺の温度が例えば１５０℃以上の高温となったときには、エンジン内冷却水経路10からヒータコア冷却水経路12に切換える。【選択図】図１
2018135790.tif 000002
【特許請求の範囲】
【請求項１】
エンジンを冷却する冷却水をエンジン内で循環させる第１冷却水経路と、
上記冷却水をエンジンとエンジン外部の熱交換器との間で循環させる第２冷却水経路と、
上記冷却水の流れを上記第１冷却水経路及び第２冷却水経路に切り換える切換弁と、
この切換弁を、エンジンの冷却水温度が第１設定値よりも低いとき冷却水の流れを第１冷却水経路に切り換え、エンジンの冷却水温度が第１設定値以上のとき冷却水の流れを第２冷却水経路に切り換える切換制御手段と、を有するエンジンの冷却装置であって、
エンジンの排気バルブ周辺の温度を検出又は推定する排気バルブ周辺温度検出手段を有し、
上記切換制御手段は、上記切換弁が第１冷却水経路に切り換えられた状態において、上記排気バルブ周辺温度検出手段により検出された排気バルブ周辺の温度が所定温度以上になったとき、上記切換弁を第２冷却経路に切り換えることを特徴とするエンジンの冷却装置。
【請求項２】
上記第２冷却水経路は、冷却水をエンジンとヒータコアとの間で循環させるヒータ冷却水経路と、
冷却水をエンジンとラジエータとの間で循環させるラジエータ冷却水経路と、を備え、
上記切換制御手段は、上記切換弁が第１冷却経路に切換えられた状態において、上記排気バルブ周辺温度検出手段により検出された排気バルブ周辺の温度が所定温度以上になったとき、上記切換弁をヒータコア冷却水経路に切り換える、請求項１に記載のエンジンの冷却装置。
【請求項３】
上記排気バルブ周辺温度検出手段は、複数の排気バルブ間の温度を検出又は推定する、請求項１又は請求項２に記載のエンジンの冷却装置。
【請求項４】
上記排気バルブ周辺温度検出手段は、エンジンの運転状態を示すパラメータに基づいて排気バルブ周辺温度を推定する、請求項１乃至３の何れか１項に記載のエンジンの冷却装置。
【発明の詳細な説明】
【技術分野】
【０００１】
本発明は、エンジンの冷却装置に係り、特に、エンジンの冷却水の流れを切換弁により複数の冷却経路に切換えるようにしたエンジンの冷却装置に関する。
【背景技術】
【０００２】
従来から、車両はエンジンの冷却装置を備え、この冷却装置により、エンジンから放出される熱を冷却水で吸収し、この吸収した熱の一部を車両室内を暖めるヒータコア等の熱源として利用している。
【０００３】
このようなエンジンの冷却装置の一例が、特許文献１に記載されている。この従来のエンジンの冷却装置は、ラジエータ及びヒータコアにエンジン冷却用の冷却水を流す冷却水外部通路（冷却水経路）を備え、さらに、冷却水のラジエータ及びヒータコアへの流れを塞き止めるためのラジエータ用の流量制御弁とヒータコア用の流量制御弁が設けられている。
【０００４】
この従来のエンジンの冷却装置においては、冷却水温度が４５℃以下のときには、２つの流量制御弁を閉じて冷却水をエンジン内で循環させ、冷却水温度が４５℃以上で８２℃未満のときは、ラジエータ用の流量制御弁を閉じると共にヒータコア用の流量制御弁を開き、冷却水をヒータコアに流し、冷却水温度が８２℃以上のときは、ラジエータ用の流量制御弁を開くと共にヒータコア用の流量制御弁を閉じ、冷却水をラジエータに流すようにしている。
【先行技術文献】
【特許文献】
【０００５】
【特許文献１】特開平１１−８２０１４号公報
【発明の概要】
【発明が解決しようとする課題】
【０００６】
上述したように、従来のエンジンの冷却装置においては、エンジンの始動時等の冷間運転時には、冷却水温度が低いので、冷却水温度が所定値（例えば４５℃）以下のときには、冷却水の温度を上昇させるために冷却水をエンジン内で循環させるようにしている。しかしながら、冷却水温が所定値以下であるエンジンの冷間運転時であっても、エンジン始動時の冷却水温度がマイナス温度のとき、エンジンのシリンダヘッドの温度は上昇して高温となるが、冷却水温度が低いのでシリンダブロックが低温の状態であり、その結果、シリンダヘッドがシリダブロックに比べてより大きく熱変形（膨張）し、エンジン全体は、逆台形形状に変形し、シリンダヘッド信頼性が低下することがある。本発明者らは、このようなエンジン冷間運転時の問題を見出し、この問題を解決するために鋭意研究を進めた。
【０００７】
そこで、本発明は、従来技術の持つ問題点を解決するためになされたものであり、エンジンの冷間運転時においてエンジンのシリンダヘッドの信頼性の低下を防止することができるエンジンの冷却装置を提供することを目的としている。
【課題を解決するための手段】
【０００８】
上記の目的を達成するために、本発明は、エンジンを冷却する冷却水をエンジン内で循環させる第１冷却水経路と、冷却水をエンジンとエンジン外部の熱交換器との間で循環させる第２冷却水経路と、冷却水の流れを第１冷却水経路及び第２冷却水経路に切り換える切換弁と、この切換弁を、エンジンの冷却水温度が第１設定値よりも低いとき冷却水の流れを第１冷却水経路に切り換え、エンジンの冷却水温度が第１設定値以上のとき冷却水の流れを第２冷却水経路に切り換える切換制御手段と、を有するエンジンの冷却装置であって、エンジンの排気バルブ周辺の温度を検出又は推定する排気バルブ周辺温度検出手段を有し、切換制御手段は、切換弁が第１冷却水経路に切り換えられた状態において、排気バルブ周辺温度検出手段により検出された排気バルブ周辺の温度が所定温度以上になったとき、切換弁を第２冷却経路に切り換えることを特徴とする。
このように構成された本発明においては、切換制御手段が、切換弁が第１冷却水経路に切り換えられた状態において、排気バルブ周辺の温度が所定温度以上になったとき、切換弁を第２冷却経路に切り換えるようになっている。この結果、本発明によれば、冷却水が第１冷却水経路を流れるエンジン冷間運転時に排気バルブ周辺の温度が所定温度以上の高温となっても、冷却水を第２冷却水経路に流すようにしたので、冷却水は第２冷却水経路において熱交換器により冷却され、排気バルブ周辺の温度上昇を抑制することができ、それにより、エンジンの信頼性低下を防止することができる。
【０００９】
本発明において、好ましくは、第２冷却水経路は、冷却水をエンジンとヒータコアとの間で循環させるヒータ冷却水経路と、冷却水をエンジンとラジエータとの間で循環させるラジエータ冷却水経路と、を備え、切換制御手段は、切換弁が第１冷却経路に切換えられた状態において、排気バルブ周辺温度検出手段により検出された排気バルブ周辺の温度が所定温度以上になったとき、切換弁をヒータコア冷却水経路に切り換える。
このように構成された本発明においては、切換制御手段が、切換弁が第１冷却経路に切換えられた状態において、排気バルブ周辺の温度が所定温度以上になったとき、切換弁をヒータコア冷却水経路に切り換えるので、冷却水が第１冷却水経路を流れるエンジン冷間運転時に排気バルブ周辺の温度が所定温度以上の高温となっても、冷却水をヒータコア冷却水経路に流すようにしたので、冷却水はヒータ冷却水経路において冷却され、排気バルブ周辺の温度上昇を抑制することができ、それにより、エンジンの信頼性低下を防止することができる。
【００１０】
本発明において、好ましくは、排気バルブ周辺温度検出手段は、複数の排気バルブ間の温度を検出又は推定する。
このように構成された本発明においては、排気バルブ周辺温度検出手段が、複数の排気バルブ間の温度を検出又は推定するので、より正確に排気バルブ周辺の温度を検出又は推定することができ、切換弁の切換え操作をより正確に行うことができる。
【００１１】
本発明において、好ましくは、排気バルブ周辺温度検出手段は、エンジンの運転状態を示すパラメータに基づいて排気バルブ周辺温度を推定する。
このように構成された本発明においては、排気バルブ周辺温度検出手段が、エンジンの運転状態を示すパラメータに基づいて排気バルブ周辺温度を推定するので、高価な温度センサを用いなくても、排気バルブ周辺温度を検出することができる。
【発明の効果】
【００１２】
本発明のエンジンの冷却装置によれば、エンジンの冷間運転時においてエンジンのシリンダヘッドの信頼性の低下を防止することができる。
【図面の簡単な説明】
【００１３】
【図１】本発明の実施形態によるエンジンの冷却装置を示す全体構成図である。
【図２】本発明の実施形態によるエンジンの冷却装置の切換弁及び切換弁が切り換える経路を示す概略図である。
【図３】図２の切換弁の駆動機構を示す概略図である。
【図４Ａ】図２の切換弁の弁体の開度が０度の場合を示す断面図である。
【図４Ｂ】図２の切換弁の弁体の開度が５９度の場合を示す断面図である。
【図４Ｃ】図２の切換弁の弁体の開度が１１９度の場合を示す断面図である。
【図５】シリンダヘッドの排気バルブ周辺温度の推定の手順を示すブロック図である。
【図６】本発明の実施形態によるエンジンの冷却装置における切換弁の切換えによる制御内容を示すフローチャートである。
【図７】エンジンの始動時の冷却水温度と、切換弁の切換え条件の冷却水温度との関係を示す線図である。
【発明を実施するための形態】
【００１４】
以下、図面を参照して、本発明の実施形態によるエンジンの冷却装置について説明する。最初に、図１により、本発明の実施形態によるエンジンの冷却装置を示す全体構成について説明する。
【００１５】
図１に示すように、エンジン（内燃機関）１は、シリンダブロック２及びシリンダヘッド４を備えている。図１では、便宜上シリンダブロック２とシリンダヘッド４は分離して描かれているが、両者は一体構造である。
【００１６】
エンジン１には、ヒータコア６及びラジエータ８が近傍に配置されている。エンジン１は、これらのヒータコア６及びラジエータ８が冷却水経路により接続されている。
ヒータコア６は、冷却水と熱交換する熱交換器であり、冷却水がエンジン１内のウオータジャケット１０ａを通る間に吸収した熱の一部を熱媒体として用いて車室内に温風を出すようになっている。
ラジエータ８も、冷却水と熱交換する熱交換器であり、エンジン１から放出された熱を吸収した冷却水から熱を大気中に放出するようになっている。
【００１７】
この冷却水経路は、エンジン１内に冷却水を循環させるエンジン内冷却水経路１０と、エンジン１とヒータコア６との間で冷却水を循環させるヒータコア冷却水経路１２と、エンジン１とラジエータ８との間で冷却水を循環させるラジエータ冷却水経路１４である。
エンジン内冷却水経路１０は、エンジン１のシリンダブロック２とシリンダヘッド４のそれぞれの内部に設けられたウオータジャケット１０ａと、このウオータジャケット１０ａのエンジン１の出口側から出て入口側に戻るようにエンジン１の外部に配置された外部経路１０ｂとからなる。
【００１８】
ヒータコア冷却水経路１２は、エンジン１の出口側からヒータコア６の入口に冷却水を流す入口側経路１２ａと、ヒータコア６の出口からエンジン１の入口側に冷却水を戻す出口側経路１２ｂとからなる。
ラジエータ冷却水経路１４は、エンジン１の出口側からラジエータ８の入口に冷却水を流す入口側経路１４ａと、ラジエータ８の出口からエンジン１の入口側に冷却水を戻す出口側経路１４ｂとからなる。
【００１９】
エンジン内冷却水経路１０の外部経路１０ｂのエンジン１の出口側には、冷却水温度を検出する出口側水温センサ１６が設けられている。また、エンジン内冷却水経路１０の外部経路１０ｂのエンジン１の入口側には、ウオータポンプ１８が設けられている。このウオータポンプ１８は、エンジン１に接続され、エンジン１の回転に同期して回転するようになっている。エンジン１の回転数は変動するので、これに伴い、ウオータポンプ１８の回転数も変動する。このウオータポンプ１８には、入口側水温センサが内蔵されている。
【００２０】
図１及び図２に示すように、エンジン内冷却水経路１０の外部経路１０ｂ、ヒータコア冷却水経路１２の入口側経路１２ａ、ラジエータ冷却水経路１４の入口側経路１４ａの接続部には、切換弁２０が配置されている。なお、図１には、２つの弁体が記載されているが、実際は、図２に示すように、単一の弁体２２を備えている。
【００２１】
この切換弁２０の弁体２２は、図３に示すＤＣモータ２４により回転駆動されるようになっている。ＤＣモータ２４は、モータ２４ａと、このモータ２４ａの軸に直結されたウオームギヤ２４ｂを備え、このウオームギヤ２４ｂのウオームホイールには、上述した弁体２２が結合され、弁体２２が回転駆動される。
【００２２】
次に、図１に示すように、制御ユニット２６が設けられ、この制御ユニット２６には、後述するエンジンの自動停止を行うための自動停止制御ユニット２８を有する。この自動停止制御ユニット２８は、エンジンを自動停止させるための自動停止制御部３０及び再始動制御部３２を備えている。
制御ユニット２６は、さらに、排気バルブ周辺温度を推定する排気バルブ周辺温度推定部３４、及び、切換弁２０の開度を制御する切換制御部３６を有する。
【００２３】
次に、図４Ａ乃至図４Ｃにより、切換弁２０の切換え動作（切換え操作）について説明する。切換弁２０は、弁体２２を備え、この弁体２２には、２つの切欠部２２ａ，２２ｂが形成され、これらの切欠部２２ａ，２２ｂを通って冷却水が流れるようになっている。
【００２４】
図４Ａは、切換弁２０の弁体２２の開度が０度の場合を示しており、この開度では、エンジン１の冷却水がエンジン内冷却水経路１０を流れ、冷却水がヒータコア冷却水経路１２とラジエータ冷却水経路１４の何れにも流れない状態となっている。この切換弁２０の開度位置により、エンジンの始動時等の冷間運転時において、冷却水の温度が上昇する。
【００２５】
図４Ｂは、切換弁２０の弁体２２の開度が５９度の場合を示しており、この開度では、エンジン１の冷却水がエンジン内冷却水経路１０及びヒータコア冷却水経路１２を流れ、冷却水がラジエータ冷却水経路１４に流れない状態となっている。この切換弁２０の開度位置により、エンジンの半暖機運転時においてヒータコアへの熱供給がなされる。
【００２６】
図４Ｃは、切換弁２０の弁体２２の開度が１１９度の場合を示しており、この開度では、エンジン１の冷却水がエンジン内冷却水経路１０、ヒータコア冷却水経路１２、ラジエータ冷却水経路１４に流れる状態となっている。この切換弁２０の開度位置により、エンジンの暖機運転時においてヒータコアにより保温とラジエータによる冷却が両立する。
【００２７】
次に、図１に示された制御ユニット２６の自動停止制御ユニット２８について説明する。エンジンの自動停止は、アイドリングストップ制御と呼ばれ、それ自体は周知技術である。そのため、ここでは、自動停止制御ユニット２８の概要のみを説明する。
【００２８】
先ず、自動停止制御ユニット２８の自動停止制御部３０は、エンジンの運転中に、予め定められたエンジンの自動停止条件が成立したか否かを判定し、成立した場合には、エンジンを自動停止させる制御を実行する。
自動停止制御ユニット２８の再始動制御部３２は、エンジンが自動停止した後、予め定められた再始動条件が成立したか否かを判定し、成立した場合に、エンジンを自動的に再始動させる制御を実行する。
【００２９】
ここで、自動停止制御部３０における自動停止条件は、例えば、車両が停止状態にあること、アクセルペダルの開度がゼロであること、ブレーキペダルが踏み込まれていること、エンジンが暖機運転状態であること、バッテリの残容量が所定値以上であること、エアコンの負荷が比較的すくないこと等である。自動停止制御部３０は、これらの複数の条件の全てが揃ったときに、自動停止条件が成立したと判定し、自動停止を実行する。
【００３０】
再始動制御部３２における再始動条件は、例えば、ブレーキペダルがリリースされたこと、アクセルペダルが踏み込まれたこと、エンジンの冷却水温が所定値未満になったこと、バッテリの残容量の低下量が許容値を超えたこと、エンジンの停止時間（自動停止後の経過時間）が所定の自動停止期間（例えば２分間）を経過したこと、エアコン作動の必要性が生じたこと、等である。再始動制御部３２は、これらの複数の条件の少なくとも１つが成立したときに、再始動条件が成立したと判定し、再始動を実行する。
【００３１】
エンジンの始動時等の冷間運転時であっても、エンジン始動時の冷却水温度がマイナス以下となるような場合、シリンダブロックが低温にも係わらず、シリンダヘッドが高温となり、両者の熱膨張率が異なることにより、エンジン全体が逆台形形状に変形し、エンジンの信頼性が低下することがある。このため、本実施形態では、以下説明するように、シリンダヘッドの排気バルブ周辺温度を推定するようにしている。なお、シリンダヘッドに温度センサを取り付け、直接、排気バルブ周辺温度を検出するようにしてもよい。
【００３２】
図５により、シリンダヘッドの排気バルブ周辺温度の推定の手順を説明する。
図５に示すように、排気バルブ周辺温度推定部３４は、エンジン回転数（ｒｐｍ）、充填効率（シリンダ内空気量）、燃料噴射量、点火タイミングから、各シリンダにおける発生熱量を算出する。次に、この各シリンダの発生熱量をシリンダブロックとシリンダヘッドに分配する。このシリンダヘッドにおける発生熱量から、排気バルブ３８周辺である複数の排気バルブ３８間の温度を推定する。ここで、複数の排気バルブ３８間の温度は、シリンダヘッドにおいて最も高温となる領域（図５に示すＡの領域）であり、正確に、シリンダヘッドにおける熱変形量を推察することができる。
【００３３】
次に、図６により、本実施形態によるエンジンの冷却装置における切換２０弁の切換え操作の際の制御内容を説明する。図６においてＳは、各ステップを示す。
先ず、Ｓ１において、イグニッションキーであるキーがＯＮか否かを判定する。キーＯＮ でなければ、エンジンが始動していないので、Ｓ２に進み、切換弁を全開の状態に設定する。切換弁が全開の状態とは、図４Ｃに示す開度１１９度の状態であり、冷却水が、エンジン内循環経路１０、ヒータコア冷却水経路１２、ラジエータ冷却水経路１４の全てに流れるようになっている。
【００３４】
Ｓ１において、キーＯＮ であれば、エンジンが始動して冷間運転時であるので、Ｓ３に進み、切換弁を全閉の状態に設定する。切換弁が全閉の状態とは、図４Ａに示す開度０度の状態であり、冷却水が、エンジン内循環経路１０のみに流れるようになっている。
【００３５】
次に、Ｓ４に進み、出口側水温センサ１６により検出された冷却水温度を読み込む。次に、Ｓ５に進み、始動時水温に応じた切換え開始水温αを設定する。
この切換え開始水温αは、図６に示すように、始動時水温が−１０度以上の場合には、５０度である。また、始動時水温が−１０未満の場合には、図７に示すように、切換え開始水温αは、５０度より低い温度となる。このように、本実施形態では、切換え開始水温αは、一定値ではなく、エンジン始動時の冷却水温度により、切換え開始水温αの値を変化させている。
【００３６】
次に、Ｓ６に進み、排気バルブ間の温度を推定する。この排気バルブ間の温度は、上述した図５に示された手順により算出して推定される。
【００３７】
次に、Ｓ７に進み、エンジンが自動停止中であるか否かを判定する。このエンジンが自動停止中か否かの判断は、上述した自動停止制御ユニット２８の自動停止制御部３０及び再始動制御部３２からの信号により判定する。
自動停止中の場合には、Ｓ８に進み、切換弁の開度を現在の開度に保持（固定）する。この場合には、切換弁の開度が図４Ａに示す全閉状態で保持される。
【００３８】
次に、Ｓ７において、自動停止中でないと判定された場合には、Ｓ９に進み、冷却水温度がＳ５で設定した切換開始温度α（例えば５０℃）より大きいか否かを判定する。冷却水温度が切換開始温度α以下の場合には、Ｓ１０に進み、排気バルブ間の温度が所定温度（例えば１５０℃）より大きいか否かを判定する。ここで、排気バルブ間の温度は、Ｓ６において推定された温度である。
【００３９】
Ｓ９において、冷却水温度が切換開始温度αより大きいと判定された場合には、Ｓ１１に進み、切換弁を開度５９度に切り換える。この切換弁が開度５９度の状態とは、図４Ｂに示す状態であり、冷却水が、エンジン内循環経路１０及びヒータコア冷却水経路１２に流れ、ラジエータ冷却水経路には流れないようになっている。
【００４０】
Ｓ１０において、排気バルブ間の温度が所定温度（例えば１５０℃）より大きいと判定された場合には、同様に、Ｓ１１に進む。Ｓ１１において、同様に、切換弁を開度５９度に切り換える。
このように、本実施形態においては、エンジンが冷間状態、即ち、冷却水温度が切換開始温度α（例えば５０℃）より低い場合であっても、排気バルブ間の温度が所定温度（例えば１５０℃）より大きい場合には、切換弁を開度５９度に切り換え、それにより、冷却水をヒータコア冷却水経路１２に流し、冷却水の温度を低下させることができるようになっている。
【００４１】
次に、Ｓ１２に進み、Ｓ７と同様に、エンジンが自動停止中であるか否かを判定する。自動停止中の場合には、Ｓ１３に進み、切換弁の開度を現在の開度（５９度）に保持（固定）する。この場合には、切換弁の開度が図４Ｂに示す５９度に保持される。
【００４２】
次に、Ｓ１２において、自動停止中でないと判定された場合には、Ｓ１４に進み、冷却水温度が所定温度（例えば９０℃）より大きいか否かを判定する。冷却水温度が９０度以下の場合には、Ｓ１２に戻る。冷却水温度が９０度より大きい場合には、Ｓ１５に進む。
【００４３】
Ｓ１５においては、切換弁は、冷却水温度が所定の目標温度となるように、その開度がフィードバック制御される。このとき、切換弁２０は、開度５９度（図４Ｂに示された開度）〜開度１１９度（図４Ｃに示された開度）の間の開度となるように制御される。切換弁２０の開度が大きくなるほど冷却水のラジエータ冷却水経路２０へ流れる割合が大きくなるので、その分、冷却水の水温が低下するようになっている。
【００４４】
次に、Ｓ１６に進み、Ｓ７及びＳ１２と同様に、エンジンが自動停止中であるか否かを判定する。自動停止中の場合には、Ｓ１７に進み、切換弁の開度を現在の開度（Ｓ１５においてフィードバック制御により設定された開度）に保持（固定）する。この場合には、切換弁の開度が現在の開度に保持される。
【００４５】
上述した図６に示した切換弁の制御では、Ｓ８、Ｓ１３、Ｓ１７において、自動停止中は、切換弁の開度を現在の開度に保持（固定）するようにしているが、本実施形態は、これに限定されない。例えば、切換弁の開度を微少量だけ調整するようにしてもよい。この場合にも、自動停止中に、切換弁を切換え操作しても、乗員の耳障りとなるような音の発生を制限することができる。
【００４６】
次に、上述した本実施形態によるエンジンの冷却装置の作用効果を説明する。
先ず、本実施形態によるエンジンの冷却装置は、エンジン１を冷却する冷却水をエンジン内で循環させるエンジン内冷却水経路１０と、冷却水をエンジン１とヒータコア６との間で循環させるヒータコア冷却水経路１２と、冷却水をエンジン１とラジエータ８との間で循環させるラジエータ冷却水経路１４と、を備え、切替弁制御部３６により、切換弁２０を、エンジンの冷却水温度が例えば５０℃（第１設定値）よりも低いとき冷却水の流れをエンジン内冷却水経路１０に切り換え、エンジンの冷却水温度が５０℃（第１設定値）以上のとき冷却水の流れをヒータコア冷却水経路１２及び／又はラジエータ冷却水経路１４に切換えるようにしている。
【００４７】
しかしながら、エンジンの冷却水温度が例えば５０℃（第１設定値）よりも低いときでも、排気バルブ周辺の温度が例えば１５０℃以上になったとき、切換弁２４をヒータコア冷却水経路１２及びラジエータ冷却水経路１４に切換え、冷却水を冷却して温度を低下させるようにしている。
【００４８】
この結果、本実施形態によれば、冷却水がエンジン内冷却水経路１０を流れるエンジン冷間運転時に排気バルブ周辺の温度が例えば１５０℃以上の高温となっても、冷却水をヒータコア冷却水経路１２及び／又はラジエータ冷却水経路１４に切換えて流すようにしたので、冷却水はこれらの冷却水経路１２，１４において熱交換により冷却され、排気バルブ周辺の温度上昇を抑制することができ、それにより、エンジンの信頼性低下を防止することができる。
【００４９】
本発明の実施形態によるエンジン冷却装置においては、切換制御部３６が、切換弁２０がエンジン内冷却水通路１０に切換えられた状態でも、排気バルブ周辺の温度が例えば１５０℃以上の高温になったとき、切換弁２０をヒータコア冷却水経路１２に切り換えて、冷却水をヒータコア冷却水経路に流すようにしたので、冷却水はヒータコア冷却水経路１２において冷却され、排気バルブ周辺の温度上昇を抑制することができ、それにより、エンジンの信頼性低下を防止することができる。
【００５０】
本発明の実施形態によるエンジンの冷却装置においては、複数の排気バルブ間の温度を検出又は推定するので、より正確に排気バルブ周辺の温度を検出又は推定することができ、切換弁の切換え操作をより正確に行うことができる。
【００５１】
本発明の実施形態によるエンジンの冷却装置においては、エンジンの運転状態を示すパラメータに基づいて排気バルブ周辺温度を推定するので、高価な温度センサを用いなくても、排気バルブ周辺温度を検出することができる。
【００５２】
本発明の実施形態によるエンジンの冷却装置においては、切換制御部３６が、自動停止制御部３０によりエンジン１が自動停止しているとき、切換弁２０によるエンジン１の冷却水温度に応じたエンジン内冷却水経路１０、ヒータコア冷却水経路１２、ラジエータ冷却水経路１４の切換え操作及び切換弁２０の開度の調整を制限するので、エンジン１が自動停止しているとき、切換弁２０の切換え操作時に生じる耳障りな音の発生を抑制することができる。
【００５３】
本発明の実施形態によるエンジンの冷却装置においては、切換制御部３６が、エンジン１が自動停止しているとき、切換弁２０を自動停止前の切換状態の開度に保持するので、エンジン１が自動停止しているとき、切換弁２０の切換え操作時に生じる耳障りな音の発生を確実に防止することができる。
【００５４】
本発明の実施形態によるエンジンの冷却装置においては、再始動制御部３２が、エンジン１が自動停止してから所定の自動停止期間（例えば２分間）が経過したとき、エンジン１を再始動するので、エンジン１の冷却水の温度変化が少なく、冷却水経路１０、１２、１４の切換え操作に制御に影響を与えることがない。
【００５５】
本発明の実施形態によるエンジンの冷却装置においては、切換制御部３６が、冷却水の流れを切換弁２０により、冷却水温度が例えば５０℃（第１設定値）よりも低いときエンジン内冷却水経路１０に切換え、冷却水温度が第１設定値以上で第１設定値よりも高く設定された例えば９０℃（第２設定値）よりも低いときヒータコア冷却水経路１２に切換え、冷却水温度が第２設定値以上のときラジエータ冷却水経路１４に切り換えるようにしているので、エンジンの冷却水を最適な状態に制御することができる。
【符号の説明】
【００５６】
１  エンジン
２  シリンダブロック
４  シリンダヘッド
６  ヒータコア
８  ラジエータ
１０  エンジン内冷却水経路
１２  ヒータコア冷却水経路
１４  ラジエータ冷却水経路
１６  出口側水温センサ
１８  ウオータポンプ
２０  切換弁
２２  弁体
２４  ＤＣモータ
２６  制御ユニット
２８  自動停止制御ユニット
３０  自動停止制御部
３２  再始動制御部
３４  排気バルブ周辺温度推定部
３６  切換制御部
３８  排気バルブ
【図１】
2018135790.tif 000003
【図２】
2018135790.tif 000004
【図３】
2018135790.tif 000005
【図４Ａ】
2018135790.tif 000006
【図４Ｂ】
2018135790.tif 000007
【図４Ｃ】
2018135790.tif 000008
【図５】
2018135790.tif 000009
【図６】
2018135790.tif 000010
【図７】
2018135790.tif 000011